(57)【要約】  【課題】根菜類の掘り取り作業中における根菜類に対する潰れや傷付きの防止と、下流側に設けられるコンベアの接続構造や選別作業用の作業台のレイアウトの容易化との両立。  【解決手段】コンベア本体２の後部を、当該コンベア本体に備えられた左右一対の車輪３Ａ・３Ｂを軸支する軸部７上に位置させる一方、コンベア本体２の前端部を前記左右一対の車輪３Ａ・３Ｂの内、畦側の車輪３Ａの直前に位置させるとともに、牽引車Ｂの畦側の車輪Ｂ１よりも外側に位置させ、当該コンベア本体２の前端部に掘り取り刃４を畦Ｃと平行状に配設した。【選択図】図１
0003116527.tif 000002
【実用新案登録請求の範囲】
【請求項１】
根菜類収穫機用コンベアにおいて、コンベア本体の後端部を、当該コンベア本体に備えられた左右一対の車輪を軸支する軸部上に位置させる一方、コンベア本体の前端部を前記左右一対の車輪の内、畦側の車輪の直前に位置させるとともに、牽引車の畦側の車輪よりも外側に位置させ、当該コンベア本体の前端部に掘り取り刃を畦と平行状に配設してなることを特徴とする根菜類収穫機用コンベア。
【請求項２】
根菜類収穫機用コンベアにおいて、コンベア本体の後端部を、当該コンベア本体に備えられた左右一対の車輪を軸支する軸部上に位置させる一方、コンベア本体の前端部を前記左右一対の車輪の内、畦側の車輪よりも外側に位置させるとともに、牽引車の畦側の車輪よりも外側に位置させ、当該コンベア本体の前端部に掘り取り刃を畦と平行状に配設してなることを特徴とする根菜類収穫機用コンベア。
【考案の詳細な説明】
【技術分野】
【０００１】
本考案は、根菜類を掘り上げながら収穫する収穫機に用いられるコンベアに関し、詳しくは、収穫機の最上流側のコンベアに関する。
【背景技術】
【０００２】
従来の根菜類収穫機(以下「収穫機」と云う)に用いられる最上流側のコンベアは、畦間を走行する左右一対の車輪を有し、その車輪を軸支する軸部上に、且つ畦の直上に位置するように配設されている。
又、前記コンベアの前端には、根菜類を掘り取り刃が配設されていて、収穫機の前進により掘り取り刃が畦内の根菜を掘り上げると、その根菜はそのままコンベアに案内される。
そして、案内された根菜はコンベアによって、当該コンベアと隣接する下流側のコンベアへと運搬される。
ところで、前記配設構造のコンベアにおいては、掘り取り作業中において、前記軸部に軸支された車輪や収穫機を牽引する牽引車の車輪が畦間を走行する際に、掘り取り前の畦の端を踏み付ける虞が有り、各車輪が畦の端を踏み付けた場合、畦の端に有る根菜類を潰したり傷付けたりすることになる。
【０００３】
そこで、前記した根菜類を潰したり傷付けたりすることを回避するために、前記最上流側のコンベアを前記牽引車の車輪における掘り取り前の畦側の車輪よりも外側、且つ前記軸部に軸支された車輪直上に位置させ、更に当該車輪を畦上で走行させるようにすることによって、前記掘り取り刃で根菜類を掘り上げた後に、牽引車の車輪が根菜類が掘り上げられた畦上を走行するようなコンベアの配設構造もある。
しかしながら、前記配設構造では、コンベアが片側の車輪方向に偏って配設されているため、例えば、下流側に設けられるコンベアとの接続構造が煩雑になったり、選別作業を行う作業台のレイアウトが煩雑になったりしている。
【考案の開示】
【考案が解決しようとする課題】
【０００４】
そこで本願考案は、根菜類の掘り取り作業中における根菜類に対する潰れや傷付きの防止と、下流側に設けられるコンベアの接続構造や選別作業用の作業台のレイアウトの容易化との両立を課題とし、この課題を解決した根菜類収穫機用コンベアの提供を目的とする。
尚、前記課題を解決する根菜類収穫機用コンベアに関連する先行技術文献情報については、本願出願人の知り得る範囲において存在しない。
【課題を解決するための手段】
【０００５】
本考案は、上記目的を達成するために下記の技術的手段を採用した。
その第１考案は、根菜類収穫機用コンベアにおいて、コンベア本体の後端部を、当該コンベア本体に備えられた左右一対の車輪を軸支する軸部上に位置させる一方、コンベア本体の前端部を前記左右一対の車輪の内、畦側の車輪の直前に位置させるとともに、牽引車の畦側の車輪よりも外側に位置させ、当該コンベア本体の前端部に掘り取り刃を畦と平行状に配設してなることを特徴とする根菜類収穫機用コンベアにしたことである。
【０００６】
又、第２考案として、根菜類収穫機用コンベアにおいて、コンベア本体の後端部を、当該コンベア本体に備えられた左右一対の車輪を軸支する軸部上に位置させる一方、コンベア本体の前端部を前記左右一対の車輪の内、畦側の車輪よりも外側に位置させるとともに、牽引車の畦側の車輪よりも外側に位置させ、当該コンベア本体の前端部に掘り取り刃を畦と平行状に配設してなることを特徴とする根菜類収穫機用コンベアにしたことである。
【０００７】
ここで云う根菜類とは、ジャガイモ・ビート・ニンジン・ダイコン・ナガイモ等が例示できる。
又、ここで云うコンベア本体とは、収穫機における最上流に位置するコンベア本体である。
又、ここで云う車輪よりも外側とは、畦側を意味する。
又、収穫機には、前記当該コンベア本体の下流側に、根菜類の茎葉を排出するための茎葉コンベア、土砂等を排出しながら根菜類を運搬する運搬コンベア、根菜類の選別作業を行う複数の選別コンベアの各種コンベア等、更には、前記各種選別コンベア間に根菜類に付着した土砂を落としながら根菜類を運搬する選別ローラー、選別コンベアで選別作業を行う作業台が備えられている。
【考案の効果】
【０００８】
本考案の根菜類収穫機用コンベアによれば、下記の優れた効果が期待できる。
第１考案によれば、根菜類の掘り取り作業中における根菜類に対する潰れや傷付きの防止と、下流側に設けられるコンベアの接続構造や選別作業用の作業台のレイアウトの容易化との両立ができる。
【考案を実施するための最良の形態】
【０００９】
以下、本考案の根菜類収穫機用コンベア(以下、「第１コンベア」と云う)を実施するための最良の形態を図面に基づいて説明する。
本実施の形態では、根菜類収穫機(以下「収穫機」と云う)をジャガイモ用の収穫機として例示するが、本考案では、ジャガイモ用の収穫機に限定するものではない。
【００１０】
収穫機Ａは、最上流に位置する前記第１コンベア１と、当該第１コンベア１の後方に配設されたロータリーバケットＡ１と、前記第１コンベア１の後端に配設された茎葉コンベアＡ２と、前記第１コンベア１の上方に位置し、ロータリーバケットＡ１で運搬されるジャガイモが載置されて運搬される複数の選別コンベア及び選別ローラーからなる選別部Ａ３と、当該選別部Ａ３で選別されたジャガイモを収納する収納部Ａ４と、前記選別部Ａ３での選別作業を行うための作業台Ａ５等、更には、選別されたクズイモの収納部や当該収納部へクズイモを運搬するクズイモコンベア等(いずれも図示せず)が備えられてなる周知のものである。
又、収穫機Ａは、牽引車Ｂによって牽引されながら、畦Ｃのジャガイモを掘り取りながら収穫するものである。
【００１１】
前記第１コンベア１は、コンベア本体２と、走行用の左右一対の車輪３Ａ，３Ｂと、前記コンベア本体２の前端部に一体的に配設された掘り取り刃４と、当該掘り取り刃４の前方に位置して前記コンベア本体２に軸支された周知のプレスローラー５と、当該プレスローラー５の両側に位置してコンベア本体２に軸支された周知のコールタ６と、前記コンベア本体２の後端部に軸支された前記茎葉コンベアＡ２を備えている。
【００１２】
コンベア本体２は、コンベア部２１と、当該コンベア部２１を左右で支持する支持板２２とから構成されている。
又、コンベア本体２は、前記コンベア部２１の後端部付近が、前記車輪３Ａ，３Ｂを軸支する軸部７上の略中央部に位置し、前端部が前記車輪３Ａ(畦Ｃ側)の前方へ位置するように斜めに配設されている。
又、コンベア部２は、前記軸部７を前記ロータリーバケットＡ１の直下に位置させることによって、コンベア部２１の後端部付近がロータリーバケットＡ１内に挿入状にされるようにしている。
【００１３】
前記コンベア本体２の前端部に配設される掘り取り刃４と、プレスローラー５と、コールタ６は、その向きが畦Ｃと平行となるようにされている。
又、前記車輪３Ａ(畦Ｃ側)は、牽引車Ｂの車輪Ｂ１(畦Ｃ側)よりも外側(畦Ｃ側)に位置している。
【００１４】
本形態の収穫機Ａによれば、第１コンベア１の後側が前記軸部７上に位置し、前端側が車輪３Ａの前方、且つ前記車輪Ｂ１よりも外側に位置している。
すなわち、ジャガイモの掘り取り作業においては、最初に第１コンベア１におけるコンベア本体２の前端部に配設された掘り取り刃４が畦中のジャガイモを掘り上げて、そのジャガイモをコンベア本体２に移動させる。
その後に、ジャガイモが掘り上げられた畦上を車輪３Ａ、更に車輪３Ｂや車輪Ｂ１・Ｂ２が走行するので、ジャガイモの収穫作業においてジャガイモを潰したり傷付けたりすることが防止される。
又、第１コンベア１が、従来の第１コンベアの配設構造のように、畦側の車輪の上方に、且つ畦と平行に配設した構造ではないので、第１コンベア１の下流に位置する前記ロータリーバケットＡ１や前記選別部Ａ３の各選別コンベアや選別ローラーの接続構造や選別作業用の作業台のレイアウトの容易化ができる。
【００１５】
なお、本願考案は、例示した実施の形態に限定するものではなく、実用新案登録請求の範囲に記載された内容から逸脱することなく、他の構成による実施も可能である。
例えば、例示した形態の第１コンベア１は、コンベア本体２の前端部を車輪３Ａの直前に位置させた配設構造であるが、この他の第１コンベア１の配設構造として、コンベア本体２の前端部を車輪３Ａの前方、且つ外側に位置させた配設構造が挙げられる(図示せず)。
【図面の簡単な説明】
【００１６】
【図１】本考案の根菜類収穫機用コンベアを配設した収穫機の概略平面図。
【図２】同、収穫機の概略背面図。
【符号の説明】
【００１７】
Ａ：収穫機
Ｂ：牽引車  
Ｃ：畦
１：第１コンベア
２：コンベア本体
３Ａ：車輪
３Ｂ：車輪
Ｂ１：車輪
４：掘り取り刃
【図１】
0003116527.tif 000003
【図２】
0003116527.tif 000004